(57)【要約】【課題】複数のヘッドにおける針棒と布押えを動作させての縫製中、少なくとも１つのヘッドについて縫製を失敗した場合、失敗したヘッドについての布押えを他のヘッドにおける布押えの方向出しの為の動作を続ける為に止めなくても、作業員に対する加害を排除することができる安全な刺繍ミシンを提供する。【解決手段】内径が上記布押えを収納した状態で布押えの回動を許容する寸法に構成した筒状の安全筒を、退避位置に上昇させた布押えが取り囲み状態になる上方位置に配置させた。【選択図】    図２
2008168053.tif 000002
【特許請求の範囲】
【請求項１】
ベッドの上方に並列させた複数のヘッドと、
上記複数のヘッドに夫々上下動自在に備えさせた針棒と、
上記各針棒の外周位置に夫々配置され、夫々上下動自在で、かつ、針棒の軸心を中心に方向出しの為に往復回動自在にした布押えと、
上記複数の針棒の夫々に連繋され、各針棒を上下動させる為の第１主軸と、
上記複数の布押えの夫々に連繋され、各布押えを方向出しの為に往復回動させる為の第２主軸と、
上記複数の針棒の夫々を、上記第１主軸から遮断する為に、第１主軸と各針棒の間に夫々配設された切離し機構と、
上記各布押えを、個別に刺繍枠の横動を許容する退避位置に上昇させる為に、上記複数のヘッドに夫々備えられた布押えの制御機構とを備える刺繍ミシンにおいて、
内径が上記布押えを収納した状態で該布押えの回動を許容する寸法に構成した筒状の安全筒を、上記退避位置に上昇させた上記布押えが取り囲み状態になる上方位置に配置させたことを特徴とする刺繍ミシン。
【請求項２】
ベッドの上方に並列させた複数のヘッドと、
上記複数のヘッドに夫々上下動自在に備えさせた針棒と、
上記各針棒の外周位置に夫々配置され、夫々上下動自在で、かつ、針棒の軸心を中心に方向出しの為に往復回動自在にした布押えと、
上記複数の針棒の夫々に連繋され、各針棒を上下動させる為の第１主軸と、
上記複数の布押えの夫々に連繋され、各布押えを方向出しの為に往復回動させる為の第２主軸と、
上記複数の針棒の夫々を、上記第１主軸から遮断する為に、第１主軸と各針棒の間に夫々配設された切離し機構と、
上記各布押えを、個別に刺繍枠の横動を許容する退避位置に上昇させる為に、上記複数のヘッドに夫々備えられた布押えの制御機構と、
コード等を蓄える為のボビンと、そのボビンから逐次出されるコード等を針落ち位置に向けて案内する為のガイド部とを備える千鳥機構とを備える刺繍ミシンにおいて、
内径が上記布押えを収納した状態で該布押えの回動を許容する寸法に構成した筒状の安全筒を、上記退避位置に上昇させた上記布押えが取り囲み状態になる上方位置に配置させ、
上記千鳥機構は、コートを針落ち位置に向けて左右から供給する為に、上記ボビンとガイド部とを、布押えを中心に往復回動させるようにした千鳥駆動手段を備え、
さらに、上記夫々の千鳥駆動手段によって夫々個別に、上記ボビンを回動させ、布押えをベッドの正面前縁側の作業員居場所から遮る場所に定置できるように構成したことを特徴とする刺繍ミシン。
【発明の詳細な説明】
【技術分野】
【０００１】
本発明は、刺繍ミシンに関し、詳しくは、針棒の外周位置において上下動自在で、かつ、針棒の軸心を中心に方向出しの為に往復回動自在にした布押えを備える刺繍ミシンに関する。
【背景技術】
【０００２】
従来より、針棒の外周位置において上下動自在で、かつ、針棒の軸心を中心に方向出しの為に往復回動させるようにした布押えを備える刺繍ミシンは、特許文献１に開示される等して広く知られている。
例えば、上記特許文献１に開示されている刺繍ミシンは、ヘッドに対して上下動自在に備えさせた針棒の外周位置に、上下動自在で、かつ、針棒の軸心を中心に方向出しの為に往復回動自在にした布押えを備えている。上記布押えは、上記の上下動自在に備えさせた針棒を駆動するための第１主軸とは別の第２主軸に連繋され、方向出しの為に、別の往復回動をする動きが得られるようにしてある。
上記構成の刺繍ミシンにおいては、針棒を第１主軸によって上下駆動させる一方で、布押えのニップルの方向出しの為の回動駆動を第２主軸によって、針棒の上下動とは別制御で駆動させ、針棒と布押えのニップルとを夫々動作させて美しい模様の縫製をすることができる特長がある。
【０００３】
【特許文献１】特許第３１４５４６９号公報
【特許文献２】特許第３０１６９５４号公報
【発明の開示】
【発明が解決しようとする課題】
【０００４】
しかしながら、従来の上記刺繍ミシンでは、ヘッドにおける針棒とニップル（布押えともいう）を動作させての縫製中、縫製を失敗した場合、作業員は、即時、習慣的にその失敗したヘッドについて、第１主軸と針棒との間にある切離し機構（例えばジャンピング機構と称されている機構）を用いて針棒の上下動を止める。この状態では第２主軸は回動を続けるので布押えは上下動すると共に、針棒の軸心を中心に往復回動を続ける。
上記の状態にあって、停止した針棒の下方にある布の上面、或いは針棒の下方にある糸に近づくと、上記の往復回動するニップルは露出しているので、誤って指先を痛めたり、頭髪が巻き込まれたりする危険があった。
【０００５】
本件出願の目的は、針棒と布押えのニップルとを夫々動作させて美しい模様の縫製をすることができるのは勿論、複数のヘッドにおける針棒と布押えを動作させての縫製中、少なくとも１つのヘッドについて縫製を失敗した場合、失敗したヘッドについての布押えを、他のヘッドにおける布押えの方向出しの為の動作を続ける為に止めなくても、作業員に対する加害を排除することができる安全な刺繍ミシンを提供しようとするものである。
他の目的は、ボビンが作業員と布押えの間に立ちはだかって、作業員が布押えに近づくのを邪魔して、より安全な刺繍ミシンを提供しようとするものである。
他の目的及び利点は図面及びそれに関連した以下の説明により容易に明らかになるであろう。
【課題を解決するための手段】
【０００６】
本発明における刺繍ミシンは、ベッド１の上方に並列させた複数のヘッド３、３・・・３と、上記複数のヘッド３、３・・・３に夫々上下動自在に備えさせた針棒１２と、上記各針棒１２の外周位置に夫々配置され、夫々上下動自在で、かつ、針棒１２の軸心を中心に方向出しの為に往復回動自在にした布押え１５と、上記複数の針棒１２の夫々に連繋され、各針棒１２を上下動させる為の第１主軸４と、上記複数の布押え１５の夫々に連繋され、各布押え１５を方向出しの為に往復回動させる為の第２主軸５と、上記複数の針棒１２の夫々を、上記第１主軸から遮断する為に、第１主軸４と各針棒１２の間に夫々配設された切離し機構４ａと、上記各布押え１５を、個別に刺繍枠の横動を許容する退避位置Ｕに上昇させる為に、上記複数のヘッド３、３・・・３に夫々備えられた布押えの制御機構２５とを備える刺繍ミシンＡにおいて、内径が上記布押え１５を収納した状態で該布押え１５の回動を許容する寸法に構成した筒状の安全筒７０を、上記退避位置Ｕに上昇させた上記布押え１５が取り囲み状態になる上方位置に配置させたものである。
【０００７】
また好ましくは、ベッド１の上方に並列させた複数のヘッド３、３・・・３と、上記複数のヘッド３、３・・・３に夫々上下動自在に備えさせた針棒１２と、上記各針棒１２の外周位置に夫々配置され、夫々上下動自在で、かつ、針棒１２の軸心を中心に方向出しの為に往復回動自在にした布押え１５と、上記複数の針棒１２の夫々に連繋され、各針棒１２を上下動させる為の第１主軸４と、上記複数の布押え１５の夫々に連繋され、各布押え１５を方向出しの為に往復回動させる為の第２主軸５と、上記複数の針棒１２の夫々を、上記第１主軸から遮断する為に、第１主軸４と各針棒１２の間に夫々配設された切離し機構４ａと、上記各布押え１５を、個別に刺繍枠の横動を許容する退避位置Ｕに上昇させる為に、上記複数のヘッド３、３・・・３に夫々備えられた布押えの制御機構２５と、コード等５０を蓄える為のボビン４７と、そのボビン４７から逐次出されるコード等５０を針落ち位置１ｂに向けて案内する為のガイド部４４とを備える千鳥機構４０とを備える刺繍ミシンＡにおいて、内径が上記布押え１５を収納した状態で該布押え１５の回動を許容する寸法に構成した筒状の安全筒７０を、上記退避位置Ｕに上昇させた上記布押え１５が取り囲み状態になる上方位置に配置させ、上記千鳥機構４０は、コード等５０を針落ち位置１ｂに向けて左右から供給する為に、上記ボビン４７とガイド部４４とを、布押え１５を中心に往復回動させるようにした千鳥駆動手段５５を備え、さらに、上記夫々の千鳥駆動手段５５によって夫々個別に、上記ボビン４７を回動させ、布押え１５をベッド１の正面前縁側の作業員居場所から遮る場所に定置できるように構成したものであればよい。
【発明の効果】
【０００８】
以上のように本発明は、複数のヘッド３、３・・・３における針棒と布押えを動作させての縫製中、少なくとも１つのヘッドについて縫製を失敗した場合、作業員は、その失敗したヘッドについて、即時、習慣的に切離し機構を用いて第１主軸に連繋されている針棒１２の上下動を止める。
続いて安全を得るために布押えの動きを止めようとしても、布押えの動きは、他のヘッドにおける布押えの方向出しのために動作を続けなければならないので止めることはできない。
しかし本発明にあっては、各布押え１５を、個別に刺繍枠の横動を許容する退避位置Ｕに上昇させる為に、必然的に上記複数のヘッド３、３・・・３の夫々には布押えの制御機構２５が備えられているので、作業員が、これを利用し、回動している布押えを止めることなく単純に退避位置へ上昇させると、そこには予め安全筒７０があるので、回動している布押え１５は、安全筒で取り囲まれ、安全筒７０内で回動することになり、作業員に対する加害を排除することができ、危険を防止する安全上の効果がある。
【０００９】
さらに上記のように安全ではあるが、千鳥駆動手段５５によって上記ボビン４７を回動させ、布押え１５をベッド１の正面前縁側の作業員居場所１ｄから遮る場所に定置するように構成する場合は、ボビン４７が、作業員と布押え１５の間に立ちはだかることになり、作業員が布押えに近づくのを邪魔して、より安全になる効果がある。
【発明を実施するための最良の形態】
【００１０】
以下本発明の実施の形態を図１乃至図７を用いて説明する。
図１に示されるＡは刺繍ミシン、例えば多頭式の千鳥縫いができる刺繍ミシンを示す。１は周知のベッド、２はベッド１上に立設させた機枠を示す。３はベッド１の上方に並列させた状態で機枠２に取付けられている複数のヘッドを示し、夫々周知のように針棒１２を備えている。１ｄは、作業員がベッド１の正面前縁１ｃから夫々のベッド３について、作業する場合に立つ作業員居場所を示す。
４は上記複数の針棒１２の夫々に連繋され、各針棒１２を上下動させる為の第１主軸で、周知のように複数のヘッド３、３・・・３を貫通して設けられている。
５は周知のように複数のヘッド３、３・・・３の夫々に備えられる布押え１５の夫々に連繋され、各布押え１５を方向出しの為に往復回動させる為の第２主軸を示し、モータ（図示省略）の往復回動力により、往復回動するようにしてある。
６はベッド１の上面１ａにおいてＸＹ方向に移動可能にした刺繍枠を示し、７は周知のように刺繍枠６に装着された布を示し、８は周知のように刺繍ミシンＡの動作を制御する為の制御装置を示す。
【００１１】
次に上記ヘッド３について説明する。
９はヘッド３におけるミシンアーム、１０はミシンアーム９に固定された筒状のガイドブラケットを示す。１２は上記複数のヘッド３、３・・・３に夫々上下動自在に備えさせた針棒を示し、周知の連繋機構（任意のカム、リンク機構等）を介して第１主軸４に連繋させてある。  
さらに、周知のように(例えば特許文献１でも開示されているように、上記複数の針棒１２の夫々の動きを、上記第１主軸４から遮断する為に、第１主軸４と各針棒１２の間には、夫々切離し機構４ａ（図２（Ａ）参照）を備えている。
１３は、針棒１２の下端に装着してある本縫い用の針で、周知のようにベッド１における針落ち位置１ｂへ向けて上下動自在にしてある。
【００１２】
１５は、上記各針棒１２の外周位置に夫々配置された布押えを示し、周知のように布押え昇降機構２０によって針棒１２に沿わせて（平行にして）上下動自在に構成され、かつ、周知のように方向出し回動機構３０によって、針棒１２の軸心を中心に往復回動自在に構成してある。１６は中空のニップルパイプ、１７はニップルパイプ１６の下端に取り付けられている布押え部材、17ａはコード等５０を上から押える押え部を示す。
【００１３】
上記布押え昇降機構２０について説明する。１８はニップルパイプ１６の上端に取付けられたニップルリング、図２（Ａ）によく表れる２１は針棒１２と平行に配置されたニップル駆動軸を示し、周知の駆動機構２４、２５（２４はパルスモータの存在を示し、２５はモータ24の出力軸24ａの回動運動を、ニップル駆動軸２１に対して上下運動にして伝達する為の布押えの制御機構）により上下に駆動されるようにしてある。
２２は元部がニップル駆動軸２１に取り付けられ、ニップル駆動軸２１と共に上下動できるようにしてあるストロークアームを示す。ストロークアーム２２の腕部22ａは、ニップルリング１８の係合溝18ａに対して上下方向への動力伝達可能に係合している。
【００１４】
上記布押えの制御機構２５の構成は広く知られている（例えば特許文献２参照）。なお図７に示されるものは特許文献２に開示されている構成を略示したものである。図において、符号25aは一端がモーター軸24aに固着され、他端をリンク部材25bに屈曲回動自在に連結しているレバ−、レバ−25cは一端25dを静止部材に枢着し、他端は係合部材25eとし、ニップル駆動軸２１に固着してある係合片25fに対して係合させてある。リンク部材25bはレバ−25aの回動運動をレバ−25cに伝達する為に先端25gをレバ−25cの中間に回動自在に連結してある。
【００１５】
次に上記の布押えの制御機構２５を用いた昇降手段２６（布押え１５を下死点Ｌと上死点Ｈの範囲で上下動させる手段）を説明する。
パルスモータ２４の軸24aを、レバ−25aが矢印76aの範囲内で往復回動するように回動させる。するとレバ−25cは矢印76bの範囲内で往復上下動し、係合部材25eは係合片25fを矢印76cの範囲内で往復上下動させる。この上下動の動きは、布押え１５を下死点Ｌと上死点Ｈの範囲で上下動させる動きに対応する。
【００１６】
次に上記の布押えの制御機構２５を用いた退避手段２７（布押え１５を上死点Ｈよりもさらに上方の退避位置Ｕに移動させる手段）を説明する。
パルスモータ２４の軸24aをレバ−25aが矢印77aの範囲内で往復回動するように回動させる。するとレバ−25cは矢印77bの範囲内で往復上下動し、係合部材25eは係合片25fを矢印77cの範囲内で往復上下動させる。この上下動の動きは、布押え１５を上死点Ｈよりもさらに上方の退避位置Ｕに移動させる動きに対応する。なお、パルスモータ２４をレバ−25aが矢印77dの範囲内で往復動させる場合には、モーターに電力が送られない場合でも、ニップル駆動軸２１は下降をしない。
【００１７】
上記布押えの制御機構２５は、図１、２から理解できるよう前記各布押え１５を、個別に刺繍枠の横動を許容する退避位置Ｕに上昇させる為に、上記複数のヘッド３、３・・・３に夫々備えられている。
【００１８】
布押え昇降機構２０を用いて、モータ24の出力軸24ａの往復回動を、制御機構２５、ニップル駆動軸２１、ストロークアーム２２、ニップルリング１８を介して伝え、布押え１５を針１３の上下動作に対して所定のタイミングで下死点Ｌと上死点Ｈの範囲を上下動させることができるようにしてある（図３参照）。
さらに、周知のように、布押え昇降機構２０を用いて、モータ24の出力軸24ａの回転を、制御機構２５、ニップル駆動軸２１、ストロークアーム２２、ニップルリング１８を介して伝え、布押え１５を上死点Ｈよりもさらに上方の退避位置Ｕに移動させ、刺繍枠６を移動させる為の空間Ｓをベッド１の上に作ることができるようにしてある。
【００１９】
次に、布押え１５の押え部17ａが、下死点Ｌでは常にコード等５０を押えることができるように方向制御（「方向出し」ともいう）する為の方向出し回動機構３０について説明する。
図２に表われている３２は伝達軸で軸受け３３によって回動自在に支持されている。伝達軸３２の一端は一対の伝達ギア３１，３１を介して第２主軸５に連繋されている。３４は伝達軸３２の他端に取付けられた伝達ギア、３５はガイドブラケット１０の上部における外周に対して回動自在に取付けられた伝達ギアを示し、伝達ギア３４、３５は噛み合っている。３７は伝達ギア３５の上面に一体的に備えられた係止片（ロータリーガイド）を示し、図２から理解できるように伝達ギア３５の軸心方向に突出状に形成されている。係止片３７の先端は、上記ニップルパイプ１６の外周に上下方向に長く形成されている溝１６ａに上下動自在に係合している。第２主軸５を往復回転させると、伝達ギア３１、３１、伝達軸３２、伝達ギア３４、３５、係止片３７を介してニップルパイプ１６は往復回動され、布押え部材１７の押え部１７ａは方向制御できるようにしてある。
【００２０】
次に、布に対して飾り糸、紐、テープ、ビーズ素材糸等の紐類（「コード等」という）の刺繍材を針下位置でチドリ振りさせて供給する為の千鳥機構４０について説明する。
千鳥機構４０は、コード等を針落ち位置１ｂへ向けて案内する為の千鳥ガイド部材４１と、コード等５０を巻き付けた状態で蓄える為のボビン４７と、千鳥駆動手段５５を備える。
千鳥ガイド部材４１は、元部が後述するプーリー５８の伝達部58ｂの外周に対して任意の固着手段、例えば、リベット止めで止着され、プーリー５８と共に往復回動するようにしてある。なお、千鳥ガイド部材４１は、複数の別部材（部材41ａ、41ｂ、41ｃ）を連結して構成してある。４２は部材41ｂに形成したガイド部４４の高さを調節する為の上下方向に長い透孔、４３は部材41ｂと部材41ｃとを伸縮調節する為の調節ねじの存在を示し、ベッド１に対するガイド部４４の高さを変更できるようにしてある。
４６は調節ねじを示し、千鳥ガイド部材４１を使用しない場合や、刺繍枠６を移動させる場合等に、調節ねじ４６を支点にして部材41ｃの下部を回動上昇させて、ガイド部４４を邪魔にならない高い位置に退避できるようにしてある。
【００２１】
ボビン４７は上記夫々の布押え１５の外周位置において千鳥駆動手段５５によって布押え１５を中心に往復回動自在に設けられている。４８はボビン４７を回動自在に支持するボビン支持具を示し、千鳥ガイド部材４１の元部を介して伝達部５８ｂの外周に対して一体的に取付けられている。
【００２２】
次に千鳥ガイド部材４１とボビン４７とを布押え１５を中心に往復回動駆動する為の千鳥駆動手段５５について説明する（図２参照）。５６は周知のモータを示し、５７はモータ５６の駆動軸56ａに連繋されているプーリーを示す。５８はガイドブラケット１０における外周に対して回動自在に取付けられたプーリーを示し、下部に筒状の伝達部68ｂを備える。５９はプーリー５７、５８に巻掛けられているタイミングベルトを示す。モータによる駆動軸56ａの往復回動に伴って、プーリー５７、タイミングベルト５９、プーリー５８が回動され、千鳥ガイド部材４１とボビン４７を往復回動駆動するようにしてある。
さらに、上記のような往復回動によって、千鳥ガイド部材４１のガイド部４４は、コード等５０を針落ち位置１ｂを中心にして中央（図４（Ｂ）におけるＣの位置）から左（図４（Ｂ）におけるＬの方向）又は右（図４（Ｂ）におけるＲの方向）に交互に回動させて、
コード等を針落ち位置１ｂを中心にいわゆるチドリ振りさせることにより、コード等自体に針落ちさせないでこのコード等を布に縫い着けるようにしてある。
上記ガイド部４４の回動動作のタイミングは、布押え15がコード等を押えている状態Ｐのときから次のステップで布押えがコード等を押えている状態Ｐのときの間に回動動作をさせるようにしてある（図３参照）。
なお、各ヘッド３においては、上記夫々のヘッド３において備える千鳥駆動手段５５によって上記ボビン４７を必要に応じて回動させ、夫々個別に、布押え１５をベッド１の正面前縁側１ｃの作業員居場所１ｄから遮る場所に定置（停止）するように、モータ５６を止める等、任意手段で停止位置が特定できるようにしておけばよい。
なお、針１３、布押え１５、刺繍枠６、千鳥機構４０等の関連動作の指示は、周知のように制御装置８によるコンピュータ制御によりすればよい。
【００２３】
７０は、上記プーリー５８における伝達部58ｂの外周に固着された筒状の安全筒を示し、断面形状が略Ｃ字状に形成されている（図５（Ｂ），図６（Ｂ）参照）。安全筒７０は、内径Ｗが上記布押え１５を収納した状態で回動を許容する寸法に構成し、その配置は図示のように、上記退避位置Ｕに上昇させた布押え１５が取り囲まれる状態になる上方位置に配置させてある（図５参照）。   
７４はメンテナンス（針棒上死点で針の交換、糸通しをする為）の為の溝部を示し、その上下方向の長さ寸法と横幅寸法は糸通し等のメンテナンスはできるが指が入らない寸法（例えば、縦：３０ｍｍ、横：７ｍｍ）にするとよい。
なお、安全筒７０の形状を、伝達部58ｂの外周における千鳥ガイド部材４１の取付部を避けるように断面形状が略Ｃ字状に形成したものを図示したが、断面形状を円状に形成させてもよい。その場合、千鳥ガイド部材４１の取付は、元部を安全筒７０を介して伝達部58ｂに取付けるようにするとよい。
【００２４】
上記構成のものを用いて、複数のヘッド３、３・・・３における針棒と布押えを動作させての縫製中、少なくとも１つのヘッド３について縫製を失敗した場合について説明する。
作業員は、その失敗したヘッド３ａについて、即時、習慣的に、通常行われるように切離し機構４ａを用いて第１主軸４に連繋されている針棒１２の上下動を止める。
引き続いて作業員は、ヘッド３ａにおける布押え１５を、退避位置Ｕに上昇させる為の布押えの制御機構２５を利用して退避位置Ｕへ上昇させる(図５参照）。すると、退避位置Ｕの布押え１５の周囲には、安全筒７０が取り囲み状態に備えさせてあり、往復回動を続ける布押え１５は安全筒７０内で矢印８６方向に往復回動することになる。
このことは、正常に縫製を続けている他のヘッド３における各布押え１５の方向出しの為の往復回動動作を邪魔することなく、危険を防止する安全上の効果がある。
【００２５】
上記のように安全ではあるが、さらに、千鳥駆動手段５５を利用して、ボビン４７を矢印８７方向にボビン４７を回動させて、布押え１５をベッド１の正面前縁１ｃ側の作業員居場所１ｄから遮る場所に定置する場合（図６参照）は、作業員居場所１ｄに対して、ボビン４７が、布押え１５の前に立ちはだかるので作業員が布押えに近づくのを邪魔するので、より安全である。
【図面の簡単な説明】
【００２６】
【図１】多頭ミシンの概略斜視図。
【図２】刺繍ミシンを説明する為の概略図で、（Ａ）は刺繍ミシンにおけるヘッドを一部破断して表した正面図、（Ｂ）はヘッドを一部破断して表した左側断面図（なお、布押えを省略した）。
【図３】刺繍ミシンにおける針と、布押えと、刺繍枠と、千鳥ガイド部材の動作の関係を説明する為の図で、主軸が３回転する間の各所の動作を表したもの。
【図４】縫い時の刺繍ミシンを説明する為の概略図で、（Ａ）は針と、布押えと、千鳥機構におけるボビンと千鳥ガイド部材と、安全筒の関係を説明する為の一部破断した概略図、（Ｂ）は布に対してコード等を千鳥縫いで縫い付ける場合の針落ち位置と、ガイド部と、ボビンとの関係を説明する為の模式図を示す。
【図５】（Ａ）は布押えを待避位置に上昇させた状態の布押えと、千鳥機構におけるボビンと、安全筒の関係を説明する為の一部破断した概略図を示し、（Ｂ）は（Ａ）におけるＶ−Ｖ線断面図（なお、千鳥ガイド部材、ボビン支持具、プーリー等を省略した）。
【図６】ボビンを回動させて、布押えをベッドの正面前縁側の作業員居場所から遮る場所に定置する場合について説明する為の一部破断した概略正面図を示し、（Ｂ）は（Ａ）におけるＶＩ−ＶＩ線断面図（なお、千鳥ガイド部材、ボビン支持具、ボビン、プーリー等を省略した）。
【図７】布押えの制御機構の概略機構図。
【符号の説明】
【００２７】
Ａ・・・刺繍ミシン、１・・・ベッド、２・・・機枠、３・・・ヘッド、４・・・第１主軸、５・・・第２主軸、６・・・刺繍枠、７・・・布、９・・・アーム、１０・・・ガイドブラケット、１２・・・針棒、１３・・・針、 １５・・・布押え、１６・・・ニップルパイプ、１７・・・布押え部材、１８・・・ニップルリング、２０・・・布押え昇降機構、２１・・・ニップル駆動軸、２２・・・ストロークアーム、22ｂ・・・腕部、２４・・・モータ、２５・・・布押えの制御機構、３０・・・方向出し回動機構、３１・・・伝達ギア、３２・・・伝達軸、３３・・・軸受、３４、３５・・・伝達ギア、３７・・・係止片（ロータリーガイド）、４０・・・千鳥機構、４１・・・千鳥ガイド部材、４４・・・ガイド部、４７・・・ボビン、４８・・・保持具、５５・・・千鳥駆動手段、７０・・・安全筒
【図１】
2008168053.tif 000003
【図２】
2008168053.tif 000004
【図３】
2008168053.tif 000005
【図４】
2008168053.tif 000006
【図５】
2008168053.tif 000007
【図６】
2008168053.tif 000008
【図７】
2008168053.tif 000009